(57)【特許請求の範囲】
【請求項１】
屋内の壁に取り付けられ、屋内の空気中の水分を取ってドレン水として排出する本体と、
壁を貫通して前記本体と屋外とを連通し、ドレン水を屋外に排出する管状部材とを備え、
ドレン水が屋外に向かって流下するように前記管状部材が形成された壁貫通型空気調和機において、
壁に空けられた壁孔と連通して前記管状部材が挿通される挿通孔と、前記挿通孔の周囲を囲んで壁に対して傾斜した受け部とを有するとともに、壁に設置して本体を着脱可能に取り付ける取付板を備え、前記管状部材を屋内側より前記挿通孔に挿入して前記管状部材の一端に設けたフランジ部と前記受け部とを付き合わして固定し、本体に設けられた連結口と前記管状部材とを嵌合することを特徴とする壁貫通型空気調和機。
【請求項２】
屋内の壁に取り付けられ、屋内の空気中の水分を取ってドレン水として排出する本体と、
壁を貫通して前記本体と屋外とを連通し、ドレン水を屋外に排出する管状部材とを備え、
ドレン水が屋外に向かって流下するように前記管状部材が形成された壁貫通型空気調和機において、
壁に空けられた壁孔と連通して前記管状部材を挿通する挿通孔と、前記挿通孔の周囲を囲んで壁と略平行な受け部とを有するとともに、壁に設置して本体を着脱可能に取り付ける取付板を備え、前記管状部材の中心軸に対して前記管状部材の内部通路の下端が屋外に向かうに従って下方に傾斜するように該内部通路を形成し、該管状部材を屋内側より前記挿通孔に挿入して前記管状部材の一端に設けたフランジ部と前記受け部とを付き合わして固定し、本体に設けられた連結口と前記管状部材とを嵌合することを特徴とする壁貫通型空気調和機。
【請求項３】
吸湿体を内部に充填して回転する吸湿器と、
第１、第２送風機と、
ヒータと、
本体が取り付けられる壁を貫通して屋外と本体との間で空気の吸排気を行う第１、第２通路とを備え、
第１送風機により屋内空気を前記吸湿器に通して水分を吸湿体に吸着させた後、該空気を屋内に戻すとともに、第２送風機によって屋外空気を第１通路を通じて本体内に取り入れて、前記ヒータを通過させて昇温し、高温の該空気の経路上に回転してきた前記吸湿器内の吸湿体から水分を脱離させて、脱離した水分を含む該空気を第２通路を通じて屋外に放出するような除湿機能を有し、
同一の管状部材内に第１、第２通路を有するとともに、第１、第２通路は水が屋外に向かって流下するように形成された壁貫通型空気調和機において、
壁に空けられた壁孔と連通して前記管状部材が挿通される挿通孔と、前記挿通孔の周囲を囲んで壁に対して傾斜した受け部とを有するとともに、壁に設置して本体を着脱可能に取り付ける取付板を備え、前記管状部材を屋内側より前記挿通孔に挿入して前記管状部材の一端に設けたフランジ部と前記受け部とを付き合わして固定し、本体に設けられた連結口と前記管状部材とを嵌合することを特徴とする壁貫通型空気調和機。
【請求項４】
吸湿体を内部に充填して回転する吸湿器と、
第１、第２送風機と、
ヒータと、
本体が取り付けられる壁を貫通して屋外と本体との間で空気の吸排気を行う第１、第２通路とを備え、
第１送風機により屋内空気を前記吸湿器に通して水分を吸湿体に吸着させた後、該空気を屋内に戻すとともに、第２送風機によって屋外空気を第１通路を通じて本体内に取り入れて、前記ヒータを通過させて昇温し、高温の該空気の経路上に回転してきた前記吸湿器内の吸湿体から水分を脱離させて、脱離した水分を含む該空気を第２通路を通じて屋外に放出するような除湿機能を有し、
同一の管状部材内に第１、第２通路を有するとともに、第１、第２通路は水が屋外に向かって流下するように形成された壁貫通型空気調和機において、
壁に空けられた壁孔と連通して前記管状部材を挿通する挿通孔と、前記挿通孔の周囲を囲んで壁と略平行な受け部とを有するとともに、壁に設置して本体を着脱可能に取り付ける取付板を備え、前記管状部材の中心軸に対して前記管状部材の内部通路の下端が屋外に向かうに従って下方に傾斜するように該内部通路を形成し、該管状部材を屋内側より前記挿通孔に挿入して前記管状部材の一端に設けたフランジ部と前記受け部とを付き合わして固定し、本体に設けられた連結口と前記管状部材とを嵌合することを特徴とする壁貫通型空気調和機。
【請求項５】
前記連結口と前記管状部材とが嵌合したことを検知する検知手段を有し、前記連結口と前記管状部材とが嵌合したときに本体の運転を可能にしたことを特徴とする請求項１乃至請求項４のいずれかに記載の壁貫通型空気調和機。
【請求項６】
前記管状部材は第１、第２管状部材に分割されるとともに、第１管状部材外周に形成された雄ねじ部と第２管状部材内周に形成された雌ねじ部とで軸方向に連結されることを特徴とする請求項１乃至請求項５のいずれかに記載の壁貫通型空気調和機。
【請求項７】
前記連結口が本体背面より突出したことを特徴とする請求項１乃至請求項６のいずれかに記載の壁貫通型空気調和機。
【請求項８】
前記管状部材と同軸のねじ部によって前記管状部材と連結して前記管状部材と前記壁孔との隙間を屋外側より塞ぐパッキンを壁に密着させるとともに、前記管状部材の内部通路の屋外側端部を塞いで該内部通路と連通するように下方に開口した固定部材を設けたことを特徴とする請求項１乃至請求項７のいずれかに記載の壁貫通型空気調和機。
【発明の詳細な説明】
【０００１】
【発明の属する技術分野】
本発明は、空気調和機に関し、特に屋内の水分を壁を貫通して屋外に排出する壁貫通型空気調和機に関する。
【０００２】
【従来の技術】
従来の壁に取り付けて空気調和を行う壁貫通型空気調和機を図を参照して説明する。図１２は水分を吸収する吸湿体を用い、屋内の空気と屋外の空気によって前記吸湿体に水分を吸着、脱離させて屋内の除湿及び加湿を行う所謂吸着方式の空気調和機の概略側面断面図である。
【０００３】
同図によると、空気調和機本体１は壁Ｗに取り付けられている。屋外の空気は送風機４によって吸気通路１１を通って空気調和機本体１内に取り込まれる。そして除湿用ヒータ３、吸湿体が充填された吸湿器２を通過して排気通路１２を通って屋外に放出されるような屋外空気経路６が構成されている。屋内の空気は送風機８によって吸気口１ａを通って空気調和機本体１内に取り込まれる。そして加湿用ヒータ７、吸湿器２を通過して排気口１ｂを通って屋内に戻されるような屋内空気経路９が構成されている。
【０００４】
このような空気調和機の除湿動作を図１３に示すと、送風機８が作動することによって、屋内の空気は吸気口１ａからフィルター１０を介して吸湿器２の吸湿部２ａに送られる。吸湿器２は内部にゼオライトやシリカゲル等の吸湿体が充填されて回転するようになっており、吸湿部２ａで屋内空気の水分を吸着した吸湿体は回転によって後述する再生部２ｂに移動する。水分を奪われて乾燥した屋内空気はフィルター１０を通って屋内に戻されて屋内が除湿される。この時加湿用ヒータ７（図１２参照）は停止されているので図示していない。
【０００５】
屋外の空気は、送風機４が作動することによって吸気通路１１からフィルター３４を介して除湿用ヒータ３に送られて昇温される。昇温された高温の屋外空気は吸湿器２の再生部２ｂに送られ、吸湿部２ａで屋内空気の水分を吸着して吸湿器２の回転によって再生部２ｂに移動してきた吸湿体を昇温して水分を脱離させる。水分を吸湿体から奪って高温多湿となった屋外空気は排気通路を通って屋外に放出される。そして吸湿体は再生されて吸湿器２の回転によって前述の吸湿部２ａに移動し、屋内空気の水分を再度吸着するようになり、連続して屋内の除湿運転が行われるようになっている。
【０００６】
加湿動作を図１４に示すと、送風機４が作動することによって、屋外の空気は吸気通路１１からフィルター３４を介して吸湿器２の吸湿部２ａに送られる。吸湿部２ａで屋外空気の水分を吸着した吸湿体は回転によって再生部２ｂに移動する。水分を奪われて乾燥した屋外空気は排気通路１２を通って屋外に放出される。この時除湿用ヒータ３（図１２参照）は停止されているので図示していない。
【０００７】
屋内の空気は、送風機８が作動することによって吸気口１ａからフィルター１０を介して加湿用ヒータ７に送られて昇温される。昇温された高温の屋内空気は吸湿器２の再生部２ｂに送られ、吸湿部２ａで屋外空気の水分を吸着して吸湿器２の回転によって再生部２ｂに移動してきた吸湿体を昇温して水分を脱離させる。水分を吸湿体から奪って高温多湿となった屋内空気はフィルター１０及び排気口１ｂを通って屋内に戻される。
【０００８】
そして吸湿体は再生されて吸湿器２の回転によって前述の吸湿部２ａに移動し、屋外空気の水分を再度吸着するようになり、連続して屋内の加湿運転が行われるようになっている。ここで、吸湿器２において、昇温された空気が通過する部分を再生部２ｂとし、低温の空気が通過する部分を吸湿部と２ａとしている。
【０００９】
このような空気調和機の壁Ｗとの取り付け部分（図１２のＡ部）の詳細を図１５に示す。同図の（ａ）によると、本体１に固定された連結口１３は外筒１３ａと内筒１３ｂによって、吸気通路１１及び排気通路１２を構成する内部通路１１ａ、１２ａが形成され、それらの断面形状は同心円状になっている。
【００１０】
壁Ｗに空けられた壁孔Ｗｈにはスリーブ１５が挿通されている。スリーブ１５は図１５の（ｂ）に断面形状を示すように、外筒１５ａと内筒１５ｂとが分離しないように数カ所の腕部１５ｃによって支持され、吸気通路１１及び排気通路１２を構成する内部通路１１ｂ、１２ｂが形成されている。そして連結口１３の外筒１３ａ及び内筒１３ｂとスリーブ１５の外筒１５ａ及び内筒１５ｂとを嵌合してスリーブ１５が本体１に装着される。そして壁孔Ｗｈとスリーブ１５との隙間を塞ぐようにゴム製などのパッキン３５が屋外側より挿入される。このような構成によって本体１が壁Ｗを貫通して屋外から空気を取り込んだり屋外へ空気を放出したりできるようになっている。
【００１１】
【発明が解決しようとする課題】
このような壁貫通型空気調和機において、除湿運転の際に排気通路１２には水分を含んだ高温の空気が通るため、通過中に冷却されて水分が凝結してドレン水となり空気とともにドレン水が排出される。このドレン水がスリーブ１５内に溜ってカビの発生などを引き起こす要因となっている。また、屋外から雨水が侵入し易い構造のためこの雨水が溜まって同様の問題の要因となっているとともに、冬季に溜まった雨水が凍結して内部通路１１ｂ、１２ｂを塞ぎ、充分な加湿性能を得られない場合があった。
【００１２】
本発明は屋外と連通する通路内のカビの発生や、凍結による性能劣化を防止するような壁貫通型空気調和機を提供することを目的とする。
【００１３】
【課題を解決するための手段】
上記目的を達成するために、本願発明は、屋内の壁に取り付けられ、屋内の空気中の水分を取ってドレン水として排出する本体と、壁を貫通して前記本体と屋外とを連通し、ドレン水を屋外に排出する管状部材とを備え、ドレン水が屋外に向かって流下するように前記管状部材が形成されている。
【００１４】
この構成によると、屋内の空気中の水分がドレン水となって壁を貫通した管状部材内の通路を通る。この通路は屋外に向かってドレン水が流下するように設けられているのでドレン水は溜まらずに通路内を流下して屋外に排出される。
【００１５】
また、本願発明は、吸湿体を内部に充填して回転する吸湿器と、第１、第２送風機と、ヒータと、本体が取り付けられる壁を貫通して屋外と本体との間で空気の吸排気を行う第１、第２通路とを備え、第１送風機により屋内空気を前記吸湿器に通して水分を吸湿体に吸着させた後該空気を屋内に戻すとともに、第２送風機によって屋外空気を第１通路を通じて本体内に取り入れて、前記ヒータを通過させて昇温し、高温の該空気の経路上に回転してきた前記吸湿器内の吸湿体から水分を脱離させて、脱離した水分を含む該空気を第２通路を通じて屋外に放出するような除湿機能を有した壁貫通型空気調和機において、同一の管状部材内に第１、第２通路を有するとともに、第１、第２通路を水が屋外に向かって流下するように形成している。
【００１６】
この構成によると、第１送風機によって、屋内の空気は吸湿器に送られる。吸湿器は内部に吸湿体が充填されて回転するようになっており、屋内空気の水分を吸着した吸湿体は回転によって移動する。水分を吸湿されて乾燥した屋内空気は屋内に戻されて屋内が除湿される。屋外の空気は、第２送風機によって屋外と連通する第１通路を通ってヒータに送られて昇温される。昇温された高温の屋外空気は吸湿器に送られ、屋内空気の水分を吸着して吸湿器の回転によって移動してきた吸湿体を昇温して水分を脱離させる。水分を吸湿体から奪って高温多湿となった屋外空気は水分が凝結したドレン水とともに第２通路を通る。そして第１、第２通路は屋外に向かって水が流下するように設けられているのでドレン水及び屋外から侵入した雨水などは溜まらずに第１、第２通路内を流下して屋外に排出される。
【００１７】
また、本願発明は、上記構成の壁貫通型空気調和機において、壁に空けられた壁孔と連通して前記管状部材が挿通される挿通孔と、前記挿通孔の周囲を囲んで壁に対して傾斜した受け部とを有するとともに、壁に設置して本体を着脱可能に取り付ける取付板を備え、前記管状部材を屋内側より前記挿通孔に挿入して前記管状部材の一端に設けたフランジ部と前記受け部とを付き合わして固定し、本体に設けられた連結口と前記管状部材とを嵌合することを特徴としている。
【００１８】
この構成によると、壁に空けられた壁孔と挿通孔とが連通するように取付板が壁に取り付けられ、屋内側よりドレン水あるいは吸排気用空気の通路を有する管状部材が挿通孔に挿入される。そして管状部材のフランジ部と、壁に対して傾斜するように前記取付板に設けられた受け部とが付き合わされて固定された後、管状部材と連結口とが嵌合するように壁貫通型空気調和機が取付板に取り付けられる。その結果、受け部が壁に対して傾斜しているので管状部材が壁孔に対して傾斜して取り付けられ、管状部材の内部通路を通るドレン水及び屋外から侵入した雨水などは溜まらずに該内部通路内を流下して屋外に排出される。
【００１９】
また、本願発明は、上記構成の壁貫通型空気調和機において、壁に空けられた壁孔と連通して前記管状部材を挿通する挿通孔と、前記挿通孔の周囲を囲んで壁と略平行な受け部とを有するとともに、壁に設置して本体を着脱可能に取り付ける取付板を備え、前記管状部材の中心軸に対して前記管状部材の内部通路の下端が屋外に向かうに従って下方に傾斜するように該内部通路を形成し、該管状部材を屋内側より前記挿通孔に挿入して前記管状部材の一端に設けたフランジ部と前記受け部とを付き合わして固定し、本体に設けられた連結口と前記管状部材とを嵌合することを特徴としている。
【００２０】
この構成によると、壁に空けられた壁孔と挿通孔とが連通するように取付板が壁に取り付けられ、屋内側よりドレン水あるいは吸排気用空気の通路を有する管状部材が挿通孔に挿入される。そして管状部材のフランジ部と、壁に対して平行な前記取付板に設けられた受け部とが付き合わされて固定された後、管状部材と連結口とが嵌合するように壁貫通型空気調和機が取付板に取り付けられる。この時、管状部材の内部通路は下端が屋外に向かうに従って下方になるように管状部材の中心軸に対して傾斜して形成されている。その結果、管状部材の内部通路を通るドレン水及び屋外から侵入した雨水などは溜まらずに該内部通路内を流下して屋外に排出される。
【００２１】
また、本願発明は、上記構成の壁貫通型空気調和機において、前記連結口と前記管状部材とが嵌合されたことを検知する検知手段を有し、前記連結口と前記管状部材とが嵌合されたときに本体の運転を可能にしたことを特徴としている。この構成によると、検知手段によって連結口と管状部材とが嵌合されたことが検知されると、壁貫通型空気調和機本体の運転が可能となり、連結口と管状部材とが嵌合されていないときは壁貫通型空気調和機本体が運転できなくなっている。
【００２２】
また、本願の発明は、上記構成の壁貫通型空気調和機において、前記管状部材は第１、第２管状部材に分割されるとともに、第１管状部材外周に形成された雄ねじ部と第２管状部材内周に形成された雌ねじ部とで軸方向に連結されることを特徴としている。この構成によると、壁に空けられた壁孔内に挿入されるとともに、一方が壁貫通型空気調和機の連結口に嵌合される第１、第２管状部材は、外周及び内周に設けられたねじ部によって連結されて締結具合によって長さを自在に変えられるようになっている。
【００２３】
また、本願発明は、上記構成の壁貫通型空気調和機において、前記連結口を本体背面より突出させたことを特徴としている。この構成によると、壁貫通型空気調和機本体を取付板に取り付けるために接近させる際に、突出部によって連結口の位置を側方から確認できるようになり概略の位置に本体を設置した後連結口と管状部材とが嵌合されて壁貫通型空気調和機が取付板に取り付けられるようになる。
【００２４】
また、本願発明は、上記構成の壁貫通型空気調和機において、前記管状部材と同軸のねじ部によって前記管状部材と連結して前記管状部材と前記壁孔との隙間を屋外側より塞ぐパッキンを壁に密着させるとともに、前記管状部材の内部通路の屋外側端部を塞いで該内部通路と連通するように下方に開口した固定部材を設けたことを特徴としている。この構成によると、管状部材を屋外側より締結して固定する固定部材によって管状部材の内部通路は軸方向に塞がれて、下方に開口するようになる。
【００２５】
【発明の実施の形態】
本発明の実施形態を図を参照して説明する。説明の便宜上従来例と同一の部材には同一の符号を付している。図１は、本発明の第１実施形態の空気調和機を示す分解斜視図、図２は図１における取付板１４を示す斜視図、図３は本実施形態の空気調和機を壁に取り付ける部分を示す側面断面図である。これらの図によると、スリーブ１５は外周に雄ねじ部１５ｄが形成されるとともに、一端に鍔状のフランジ部１６が設けられフランジ部１６には切り欠き部１６ａが形成されている。
【００２６】
取付板１４には挿通孔１８と、挿通孔１８の外周を囲むようにフランジ部１６と付き合わされる受け部１４ｂとが設けられており、挿通孔１８が壁孔Ｗｈと連通するように取付板１４が壁Ｗにねじ止め（不図示）などの方法によって固定される。受け部１４ｂは本体１を設置する面１４ｃに対して傾斜しており、屋内側より挿通孔１８及び壁孔Ｗｈにスリーブ１５が挿入されて突出部１４ａと切り欠き部１６ａとが合致するようにフランジ部１６が受け部１４ｂに付き合わされると、スリーブ１５は水平に対して傾斜するようになっている。
【００２７】
屋外側に突出したスリーブ１５には壁孔Ｗｈとスリーブ１５との隙間を塞ぐパッキンが２１嵌められてパッキン２１が壁Ｗに密着するように雌ねじ部２０ａを有した固定部材２０によって締め付けられる。受け部１４ｂに設けられた突出部１４ａとフランジ部１６に設けられた切り欠き部１６ａとは係合してナット２０を締め付ける際のスリーブ１５の回り止めを行っている。そして、取付板１４上部に設けられた係合部２２に本体１に設けられた切り欠き２３を引っかけてスリーブ１５の外筒１５ａ及び内筒１５ｂと連結口１３の外筒１３ａ及び内筒１３ｂとを嵌合して本体１が取付板１４に取り付けられる。
【００２８】
本実施形態によると、スリーブ１５は水平に対して傾斜しており、内部通路１１ｂ、１２ｂを通るドレン水や屋外側より侵入する雨水などが屋外方向へ流下して排出されるので、溜まった水によるカビの発生や凍結による性能劣化を防止することができるようになる。スリーブ１５の傾斜角度（受け部１４ｂの傾斜角度）は５゜にしており、水が流下すれば他の角度にしてもよい。
【００２９】
図４は本発明の第２実施形態の空気調和機を示す分解斜視図であり、図５は本実施形態の空気調和機を壁に取り付ける部分を示す側面断面図である。これらの図によると、第１実施形態と異なる点は、スリーブ１５と固定部材２０との間に延長スリーブ２５を設けている点である。
【００３０】
延長スリーブ２５は外筒２５ａと内筒２５ｂとが腕部２５ｃで連結され、吸気通路１１と排気通路１２とを形成する内部通路１１ｃ、１２ｃを有し、外筒２５ａの内周に雌ねじ部２５ｄが形成されている。固定部材２０は外筒２０ａと内筒２０ｂとが腕部２０ｃで連結され、吸気通路１１と排気通路１２とを形成する内部通路１１ｄ、１２ｄを有し、フランジ部２０ｅが形成されて、外筒２０ａの外周に雄ねじ部２０ｄが形成されている。
【００３１】
延長スリーブ２５の雌ねじ部２５ｄはスリーブ１５の雄ねじ部１５ｄと噛合し、延長スリーブ２５の内筒２５ｂとスリーブ１５の内筒１５ｂとが嵌合して延長スリーブ２５とスリーブ１５とが連結される。固定部材２０の雄ねじ部２０ｄは延長スリーブ２５の雌ねじ部２５ｄと噛合し、固定部材２０の内筒２０ｂと延長スリーブ２５の内筒２５ｂとが嵌合して固定部材２０と延長スリーブ２５とが連結される。そして吸気通路１１、排気通路１２は壁Ｗを貫通して屋外に連通するようになっている。このようなねじ部（１５ｄ、２５ｄ、２０ｄ）による連結は吸気通路１１と排気通路１２の断面が同心円の場合に可能である。
【００３２】
本実施形態によると、第１実施形態と同様の効果を得ることができるとともに、延長スリーブ２５の締め付け具合で吸気通路１１、排気通路１２の伸縮を自由に行えるので、壁Ｗの厚みによってスリーブ１５を切断したり継ぎ足したりする必要がなく取付工事が容易となる。
【００３３】
なお、本実施形態では、固定部材２０のフランジ部２０ｅ外周に切り欠き２０ｆを設け、固定部材２０の軸方向を覆って内部通路１１ｄ、１２ｄと下方に開口させるような防水カバー３０を係合部３０ａを前記切り欠き２０ｆに差し込むようにして固定し、雨水などが内部通路１１ｄ、１２ｄ（吸気通路１１、排気通路１２）に入りにくくしている。
【００３４】
図６は、本発明の第３実施形態の空気調和機を壁に取り付ける部分を示す側面断面図である。同図によると、第１実施形態と異なる点は、取付板１４の受け部１４ｂを壁Ｗと平行に形成し、スリーブ１５を水平に設置するとともにスリーブ１５の内部通路１１ｂ、１２ｂを傾斜させている。このようにすると第１実施形態と同様の効果を得ることができる。
【００３５】
更に、内部通路１１ｂ、１２ｂの底部のみを傾斜させて内部通路１１ｂ、１２ｂの断面積を殆ど減少させないようにすると第１実施形態とほぼ同径のスリーブ１５を用いることができ、壁孔Ｗｈを小さくすることができる。
【００３６】
また、図７、図８の（ａ）、（ｂ）に第４、第５実施形態におけるスリーブ１５の正面図、側面断面図を示すように、吸気通路１１、排気通路１２（スリーブ１５の内部通路１１ｂ、１２ｂ）の形状が円筒形でなく上下や左右に並んだ形状の場合においても第３実施形態と同様に底部１５ｅ、１５ｆを傾斜させるような形状にすることで同様の効果を得ることができる。なお、図８の（ｂ）は図８の（ａ）におけるＥ−Ｅ断面図である。
【００３７】
図９は本発明の第６実施形態の空気調和機の概略側面図である。同図によると、取付板１４の下部に突起部２７を設けており、本体１の背面にマイクロスイッチ２６を取り付けている。そして連結口１３（図１参照）とスリーブ１５（図１参照）とが正常に嵌合されると、本体１が取付板１４に所定位置に設置されていることになってマイクロスイッチ２６はオンになる。それによって本体１の運転が可能なようになっている。
【００３８】
このようにすることで本体１取付後確認ができない連結口１３とスリーブ１５との嵌合状態を確認することができるので、正常に嵌合されていない場合に即座に取付をやり直すことができて取付工事の不備を起こすことがなくなる。
【００３９】
図１０は本発明の第７実施形態の空気調和機を示す図である。（ａ）は概略側面図、（ｂ）は要部分解斜視図を示している。これらの図によると、連結部１３は本体１の背面から突出している。本実施形態では連結部１３の外筒１３ａを１〜２ｃｍ突出させ、内筒１３ｂを更に１〜２ｃｍ突出させている。
【００４０】
このようにすると、本体１を取付板１４に取り付けるために接近させる際に、側方から突出部２８によって連結口１３の位置を確認できるので、連結口１３をスリーブ１５の位置に概略設置でき、連結口１３とスリーブ１５の嵌合を容易にして本体の取付を簡単にすることができるようになる。
【００４１】
図１１は本発明の第８実施形態の空気調和機の固定部材２０を示す図である。（ａ）は正面断面図（ｂ）は側面断面図である。なお（ａ）は（ｂ）におけるＦ−Ｆ断面を示している。これらの図によると、第２実施形態における固定部材２０（図５参照）のように、屋外側へ連通する内部通路１１ｄ、１２ｄを有する固定部材２０において、固定部材２０の屋外側端面２０ｇを塞ぐようにするとともに、内部通路１１ｄ、１２ｄと連通して下方に開口するような切り欠き部２０ｈ、２０ｊを設けている。
【００４２】
このようにすることで内部通路１１ｄ、１２ｄ（吸気通路１１、排気通路１２）内に雨水などが浸入することを防止することができ、第２実施形態の防水カバー３０を必要としないのでコスト増加を抑えることができる。
【００４３】
【発明の効果】
本願発明によると、管状部材内を通るドレン水や屋外側より侵入する雨水などは屋外方向へ流下して排出されるので、溜まった水によるカビの発生や、凍結による性能劣化を防止することができるようになる。
【００４４】
また、本願発明によると、管状部材内を通るドレン水や屋外側より侵入する雨水などが屋外方向へ流下して排出されるので、溜まった水によるカビの発生や、凍結による性能劣化を防止することのできる壁貫通型空気調和機を簡単に実現することができる。
【００４５】
また、本願発明によると、管状部材内の内部通路が水平に対して傾斜しており、内部通路を通るドレン水や屋外側より侵入する雨水などが屋外方向へ流下して排出されるので、溜まった水によるカビの発生や凍結による性能劣化を防止することのできる壁貫通型空気調和機を簡単に実現することができる。更に、管状部材の外径と略同径まで壁孔を小さくすることができるので取付工事が容易になる。
【００４６】
また、本願発明によると、壁貫通型空気調和機本体の取付後連結口と管状部材との嵌合状態を確認することができるので、正常に嵌合されていない場合に即座に取付をやり直すことができて取付工事の不備を起こすことがなくなる。
【００４７】
本願発明によると、管状部材内を通るドレン水や屋外側より侵入する雨水などが屋外方向へ流下して排出されるので、溜まった水によるカビの発生や凍結による性能劣化を防止することのできる壁貫通型空気調和機を簡単に実現することができる。更に、第２管状部材の締め付け具合で吸気通路、排気通路の伸縮を自由に行えるので、壁の厚みによってスリーブを切断したり継ぎ足したりする必要がなく取付工事が容易となる。
【００４８】
本願発明によると、壁貫通型空気調和機本体を取付板に取り付けるために接近させる際に、側方から突出部によって連結口の位置を確認できるので、連結口を管状部材の位置に概略設置でき、連結口と管状部材の嵌合を容易にして本体の取付を簡単にすることができるようになる。
【００４９】
本願発明によると、別途部材を必要とせずコスト増加させることなく吸気通路、排気通路内に雨水などが浸入することを防止することができる。
【図面の簡単な説明】
【図１】    本発明にかかる第１実施形態の壁貫通型空気調和機の分解斜視図である。
【図２】    本発明にかかる第１実施形態の壁貫通型空気調和機の取付板を示す斜視図である。
【図３】    本発明にかかる第１実施形態の壁貫通型空気調和機の要部断面図である。
【図４】    本発明にかかる第２実施形態の壁貫通型空気調和機の分解斜視図である。
【図５】    本発明にかかる第２実施形態の壁貫通型空気調和機の要部断面図である。
【図６】    本発明にかかる第３実施形態の壁貫通型空気調和機の要部断面図である。
【図７】    本発明にかかる第４実施形態の壁貫通型空気調和機のスリーブを示す図である。
【図８】    本発明にかかる第５実施形態の壁貫通型空気調和機のスリーブを示す図である。
【図９】    本発明にかかる第６実施形態の壁貫通型空気調和機を示す概略側面図である。
【図１０】  本発明にかかる第７実施形態の壁貫通型空気調和機を示す図である。
【図１１】  本発明にかかる第８実施形態の壁貫通型空気調和機の固定部材を示す図である。
【図１２】  従来の壁貫通型空気調和機を示す側面断面図である。
【図１３】  従来の壁貫通型空気調和機の除湿動作を示す図である。
【図１４】  従来の壁貫通型空気調和機の加湿動作を示す図である。
【図１５】  従来の壁貫通型空気調和機の要部断面図である。
【符号の説明】
１ 本体
１１ 吸気通路
１１ａ、１１ｂ、１１ｃ、１１ｄ 内部通路
１２ 排気通路
１２ａ、１２ｂ、１２ｃ、１２ｄ 内部通路
１３ 連結口
１４ 取付板
１４ｂ 受け部
１５ スリーブ
１６ フランジ部
２０ 固定部材
２１ パッキン
２５ 延長スリーブ
【図１】
0003667093.tif 000002
【図２】
0003667093.tif 000003
【図３】
0003667093.tif 000004
【図４】
0003667093.tif 000005
【図５】
0003667093.tif 000006
【図６】
0003667093.tif 000007
【図７】
0003667093.tif 000008
【図８】
0003667093.tif 000009
【図９】
0003667093.tif 000010
【図１０】
0003667093.tif 000011
【図１１】
0003667093.tif 000012
【図１２】
0003667093.tif 000013
【図１３】
0003667093.tif 000014
【図１４】
0003667093.tif 000015
【図１５】
0003667093.tif 000016